【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
ユーザを特定するユーザ特定情報と、前記ユーザが指定する指定地点情報と、指定運動時間と、運動の程度を示す指定指標情報を取得する指定情報取得部と、
複数のユーザ特定情報と運動能力レベルとを対応付けて格納している運動能力レベル格納部から、前記指定情報取得部で取得されたユーザ特定情報に対応した運動能力レベルと同一または類似の運動能力レベルを有するユーザ特定情報を抽出する抽出部と、
前記複数のユーザ特定情報と地点履歴情報と運動履歴時間と運動の程度を示す指標履歴情報とを対応付けて格納している走行履歴情報格納部から、
前記抽出部で抽出されたユーザ特定情報に対応づけられた運動履歴時間と指標履歴情報を読み出し、
前記指定情報取得部で取得された前記指定運動時間と前記指定指標情報と同一または類似の運動履歴時間と指標履歴情報に対応付けられている地点履歴情報を抽出し、
前記抽出された地点履歴情報に対応する道路の距離と、前記指定地点情報とに基づいてルートを作成するルート作成部と、
を有するルート作成システム。
【請求項２】
少なくとも道路の位置情報と距離と勾配とが記憶されている道路情報記憶部と、
前記道路の位置情報と、前記抽出された地点履歴情報とから、当該地点履歴情報に対応する道路の距離と勾配とを特定し、前記特定した距離と勾配とを元に運動負荷を求める運動負荷計算部と、を有し、
前記ルート作成部は、前記指定地点情報によって示される指定地点を通り、前記運動負荷で運動が可能なルートを作成する請求項１に記載のルート作成システム。
【請求項３】
運動負荷計算部は、前記抽出部で抽出されたユーザ特定情報に対応付けられた過去の走行履歴を基に運動負荷を計算し、
前記ルート作成部は、前記指定地点情報によって示される指定地点を通り、前記運動負荷で運動が可能なルートが複数存在する場合、
交通量の少ないルート、走行履歴が多いルートまたは前記ユーザと同一または類似の運動能力レベルを有するユーザが過去に走行したルートのうち、少なくとも一つのルートを推奨ルートして決定することを特徴とする請求項２に記載のルート作成システム。
【請求項４】
前記ルート作成部によって作成されたルートを送信する送信部を更に有し、
前記送信部は、前記ルートに加え、ユーザが指定する前記指定運動時間と前記指定指標情報で前記ルートを走るための平均走行速度、前記ルート中の複数のチェックポイントでの目標時間、前記チェックポイントまでの距離と時間、現在の指標情報と前記指定指標情報を比較して目標指標情報に近づくためのメッセージ、を一つあるいは複数送信することを特徴とする請求項１に記載のルート作成システム。
【請求項５】
ルート作成システムが実施するルート作成方法において、
ユーザを特定するユーザ特定情報と、前記ユーザが指定する指定地点情報と、指定運動時間と、運動の程度を示す指定指標情報を取得する指定情報取得工程と、
複数のユーザ特定情報と運動能力レベルとを対応付けて格納している運動能力レベル格納部から、前記指定情報取得工程で取得されたユーザ特定情報に対応した運動能力レベルと同一または類似の運動能力レベルを有するユーザ特定情報を抽出する抽出工程と、
前記複数のユーザ特定情報と地点履歴情報と運動履歴時間と運動の程度を示す指標履歴情報とを対応付けて格納している走行履歴情報格納部から、
前記抽出工程で抽出されたユーザ特定情報に対応づけられた運動履歴時間と指標履歴情報を読み出し、
前記指定情報取得工程で取得された前記指定運動時間と前記指定指標情報と同一または類似の運動履歴時間と指標履歴情報に対応付けられている地点履歴情報を抽出し、
前記抽出された地点履歴情報に対応する道路の距離と、前記指定地点情報とに基づいてルートを作成するルート作成工程と、
を含むことを特徴とするルート作成方法。
【請求項６】
請求項５に記載のルート作成方法をコンピュータに実行させることを特徴とするルート作成プログラム。
【請求項７】
ユーザ特定情報と運動履歴時間と、運動の程度を示す指標履歴情報とを対応付けて格納する格納部と、
指定運動時間と運動の程度を示す指定指標情報を指定するユーザの第１ユーザ特定情報に対応する、同一又は類似の運動能力レベルを有する第２ユーザ特定情報を特定する特定部と、
前記指定運動時間及び前記指定指標情報と同一又は類似の、前記第２ユーザ特定情報に対応する運動履歴時間および指標履歴情報に基づきルートを作成する作成部を有する、地図作成システム。
【請求項８】
地図作成システムが実施する地図作成方法において、
ユーザ特定情報と運動履歴時間と、運動の程度を示す指標履歴情報とを対応付けて格納し、
指定運動時間と運動の程度を示す指定指標情報を指定するユーザの第１ユーザ特定情報に対応する、同一又は類似の運動能力レベルを有する第２ユーザ特定情報を特定し、
前記指定運動時間及び前記指定指標情報と同一又は類似の、前記第２ユーザ特定情報に対応する運動履歴時間および指標履歴情報に基づきルートを作成する、地図作成方法。
【請求項９】
請求項８に記載の地図作成方法をコンピュータに実行させる、地図作成プログラム。
【手続補正２】
【補正対象書類名】明細書
【補正対象項目名】発明の名称
【補正方法】変更
【補正の内容】
【発明の名称】ルート作成システム、ルート作成方法、ルート作成プログラム、地図作成システム、地図作成方法および地図作成プログラム
【手続補正３】
【補正対象書類名】明細書
【補正対象項目名】０００１
【補正方法】変更
【補正の内容】
【０００１】
この発明は、ユーザの指定情報に合うルートを作成するルート作成システム、ルート作成方法、ルート作成プログラム、地図作成システム、地図作成方法および地図作成プログラムに関する。ただし、この発明の利用は、ルート作成システム、ルート作成方法、ルート作成プログラム、地図作成システム、地図作成方法および地図作成プログラムに限らない。
【手続補正４】
【補正対象書類名】明細書
【補正対象項目名】０００７
【補正方法】変更
【補正の内容】
【０００７】
また、請求項６の発明にかかるルート作成プログラムは、請求項５に記載のルート作成方法をコンピュータに実行させることを特徴とする。
また、請求項７の発明にかかる地図作成システムは、ユーザ特定情報と運動履歴時間と、運動の程度を示す指標履歴情報とを対応付けて格納する格納部と、指定運動時間と運動の程度を示す指定指標情報を指定するユーザの第１ユーザ特定情報に対応する、同一又は類似の運動能力レベルを有する第２ユーザ特定情報を特定する特定部と、前記指定運動時間及び前記指定指標情報と同一又は類似の、前記第２ユーザ特定情報に対応する運動履歴時間および指標履歴情報に基づきルートを作成する作成部を有することを特徴とする。
また、請求項８の発明にかかる地図作成方法は、地図作成システムが実施する地図作成方法において、ユーザ特定情報と運動履歴時間と、運動の程度を示す指標履歴情報とを対応付けて格納し、指定運動時間と運動の程度を示す指定指標情報を指定するユーザの第１ユーザ特定情報に対応する、同一又は類似の運動能力レベルを有する第２ユーザ特定情報を特定し、前記指定運動時間及び前記指定指標情報と同一又は類似の、前記第２ユーザ特定情報に対応する運動履歴時間および指標履歴情報に基づきルートを作成することを特徴とする。
また、請求項９の発明にかかる地図作成プログラムは、請求項８に記載の地図作成方法をコンピュータに実行させることを特徴とする。
【手続補正５】
【補正対象書類名】明細書
【補正対象項目名】０００９
【補正方法】変更
【補正の内容】
【０００９】
（実施の形態）
以下に添付図面を参照して、この発明にかかるルート作成システム、ルート作成方法、ルート作成プログラム、地図作成システム、地図作成方法および地図作成プログラムの好適な実施の形態を詳細に説明する。
【手続補正６】
【補正対象書類名】明細書
【補正対象項目名】００９５
【補正方法】変更
【補正の内容】
【００９５】
なお、本実施の形態で説明したルート作成方法、地図作成方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。